(57)【要約】【課題】  電子閃光装置において、高速繰り返し発光に好適な増圧技術を提供する。【解決手段】  本発明は、閃光管、スイッチング素子、及び増圧回路を備える。増圧回路は、主ダイオードＤＭ、増圧ブロックＵ１、Ｕ２を有する。主ダイオードＤＭと閃光管は直列接続される。増圧ブロックＵ１は、電流分配用ダイオードＤＳ１、極性変換回路Ｐ１、及び増圧コンデンサＣ１の直列接続体を主ダイオードＤＭに並列してなる。増圧ブロックＵ２は、極性変換回路Ｐ２および増圧コンデンサＣ２の直列接続体を、電流分配用ダイオードＤＳ１に並列してなる。極性変換回路Ｐ１は、スイッチング素子の導通で、増圧コンデンサＣ１の反転電圧を増圧コンデンサＣ２に印加する第１反転接続回路を有する。極性変換回路Ｐ２は、第１反転接続回路の導通で、増圧コンデンサＣ２の２倍反転電圧を閃光管の負極に印加する第２反転接続回路を有する。【選択図】      図１ 
2005310674.tif 000002
【特許請求の範囲】
【請求項１】
閃光管と、
前記閃光管に閃光発光用の電力を供給する電源部と、
発光／消灯の制御信号に応じて、前記電源部および前記閃光管の間を電気的に導通／遮断するスイッチング素子と、
前記スイッチング素子の導通に伴って、前記閃光管の両端電圧を過渡的に略３倍に増圧する増圧回路とを備え、
前記増圧回路は、
前記閃光管および前記スイッチング素子の間に接続された主ダイオードＤＭと、
電流分配用ダイオードＤＳ１、極性変換回路Ｐ１、および増圧コンデンサＣ１の直列接続体を、前記主ダイオードＤＭに並列接続してなる増圧ブロックＵ１と、
極性変換回路Ｐ２および増圧コンデンサＣ２の直列接続体を、前記電流分配用ダイオードＤＳ１に並列接続してなる増圧ブロックＵ２とを有し、
前記極性変換回路Ｐ１は、
前記スイッチング素子が遮断すると、前記主ダイオードＤＭおよび前記増圧コンデンサＣ１を経由して電流路を形成して前記増圧コンデンサＣ１に電圧を充電し、かつ前記スイッチング素子が導通すると、前記増圧コンデンサＣ１の他側に生じる反転電圧によって逆バイアスされる充電用ダイオードＤＺ１と、
前記スイッチング素子が導通すると、前記増圧コンデンサＣ１の反転電圧によって導通して、前記反転電圧を前記増圧コンデンサＣ２の一端に印加する第１反転接続回路とを有し、
前記極性変換回路Ｐ２は、
前記第１反転接続回路が遮断すると、前記電流分配用ダイオードＤＳ１および前記増圧コンデンサＣ２を経由して電流路を形成して前記増圧コンデンサＣ２に電圧を充電し、かつ前記第１反転接続回路が導通すると、前記増圧コンデンサＣ２の他側に生じる２倍反転電圧によって逆バイアスされる充電用ダイオードＤＺ２と、
第１反転接続回路が導通すると、前記増圧コンデンサＣ２の２倍反転電圧によって導通して、前記２倍反転電圧を『前記閃光管と前記主ダイオードＤＭの接続点』に印加する第２反転接続回路とを有する
ことを特徴とする電子閃光装置。
【請求項２】
閃光管と、
前記閃光管に閃光発光用の電力を供給する電源部と、
発光／消灯の制御信号に応じて、前記電源部および前記閃光管の間を電気的に導通／遮断するスイッチング素子と、
前記スイッチング素子の導通に伴って、前記閃光管の両端電圧を過渡的に略（Ｎ＋１）倍に増圧する増圧回路とを備え（ただしＮ≧３）、
前記増圧回路は、
前記閃光管および前記スイッチング素子の間に接続された主ダイオードＤＭと、
電流分配用ダイオードＤＳ１、極性変換回路Ｐ１、および増圧コンデンサＣ１の直列接続体を、前記主ダイオードＤＭに並列接続してなる増圧ブロックＵ１と、
電流分配用ダイオードＤＳｎ、極性変換回路Ｐｎ、および増圧コンデンサＣｎの直列接続体を、前記電流分配用ダイオードＤＳ（ｎ−１）に並列接続してなる増圧ブロックＵｎとを有し（ただしＮ−１＞ｎ≧２の自然数）、
極性変換回路ＰＮおよび増圧コンデンサＣＮの直列接続体を、前記電流分配用ダイオードＤＳ（Ｎ−１）に並列接続してなる増圧ブロックＵＮとを有し、
前記極性変換回路Ｐ１は、
前記スイッチング素子が遮断すると、前記主ダイオードＤＭおよび前記増圧コンデンサＣ１を経由して電流路を形成して前記増圧コンデンサＣ１に電圧を充電し、かつ前記スイッチング素子が導通すると、前記増圧コンデンサＣ１の他側に生じる反転電圧によって逆バイアスされる充電用ダイオードＤＺ１と、
スイッチング素子が導通すると、前記増圧コンデンサＣ１の反転電圧によって導通して、前記反転電圧を前記増圧コンデンサＣ２の一端に印加する第１反転接続回路とを有し、
前記極性変換回路Ｐｎは、
前記第（ｎ−１）反転接続回路が遮断すると、前記電流分配用ダイオードＤＳ（ｎ−１）および前記増圧コンデンサＣｎを経由して電流路を形成して前記増圧コンデンサＣｎに電圧を充電し、かつ前記第（ｎ−１）反転接続回路が導通すると、前記増圧コンデンサＣｎの他側に生じるｎ倍反転電圧によって逆バイアスされる充電用ダイオードＤＺｎと、
第（ｎ−１）反転接続回路が導通すると、前記増圧コンデンサＣｎのｎ倍反転電圧によって導通して、前記ｎ倍反転電圧を前記増圧コンデンサＣ（ｎ＋１）に印加する第ｎ反転接続回路とを有し、
前記極性変換回路ＰＮは、
前記第（Ｎ−１）反転接続回路が遮断すると、前記電流分配用ダイオードＤＳ（Ｎ−１）および前記増圧コンデンサＣＮを経由して電流路を形成して前記増圧コンデンサＣＮに電圧を充電し、かつ前記第（Ｎ−１）反転接続回路が導通すると、前記増圧コンデンサＣＮの他側に生じるＮ倍反転電圧によって逆バイアスされる充電用ダイオードＤＺＮと、
第（Ｎ−１）反転接続回路が導通すると、前記増圧コンデンサＣＮのＮ倍反転電圧によって導通して、前記Ｎ倍反転電圧を『前記閃光管と前記主ダイオードＤＭの接続点』に印加する
ことを特徴とする電子閃光装置。
【発明の詳細な説明】
【技術分野】
【０００１】
本発明は、電子閃光装置に関する。特に、本発明は、電子閃光装置の発光を高速に繰り返す際に好適な『閃光管の増圧を繰り返し安定に実施する技術』に関する。
【背景技術】
【０００２】
近年、撮影に先立って複数回のパルス発光を行い、被写体から戻ってくる光を測光してカメラの露出を決定するシステムが知られている。
また、複数の電子閃光装置をワイヤレスで同調発光させる多灯ライティングのシステムも知られている。これら電子閃光装置（カメラ内蔵の電子閃光装置も含む）の間では、パルス発光を用いたデータ通信が実施される。
このようなパルス発光では、閃光管を数１０Ｈｚ〜数ｋＨｚで繰り返し発光させることが要求される。
【０００３】
ところで、最近の電子閃光装置は、小型化かつ高ＧＮ（ガイドナンバ）化が要求される。そのため、閃光管の内部ガス圧を一段と高く設定し、ハイインピーダンスにする傾向にある。その結果、閃光管を発光させるための電圧が高くなったり、放熱効率が低下して温度が上昇しやすいなど、発光動作を一段と誘発しづらい傾向にある。特に、数１００Ｈｚ程度の繰り返し発光においては、その発光間隔が閃光管のインピーダンス上昇タイミングに合致するなどの理由から、特に発光しづらくなるといった問題が生じる。
そのため、上述したパルス発光に際して、途中で発光が止まってしまったり、発光抜けを生じるといった不具合が懸念される。
【０００４】
ところで、従来の電子閃光装置内には、閃光管の発光を確実に誘発する目的で、閃光管の両端電圧を過渡的に増圧する回路（以下『増圧回路』という）が設けられている（例えば、特許文献１の図１）。
図３は、このような従来装置の回路構成を示す図である。
【０００５】
（従来の構成）
まず、直流高圧電源６２は、主コンデンサＣＭに発光用の高圧電圧Ｅを蓄積する。この主コンデンサＣＭの両端には、閃光管Ｘｅ、主ダイオードＤＭ、およびスイッチング素子６５が直列に接続される。この閃光管Ｘｅには、回路初期化に必要な電流を流すための抵抗ＲＺが並列接続される。また、スイッチング素子６５のゲートは、発光制御回路６３に接続される。
さらに、主ダイオードＤＭに対して並列に、直列ブロックＢ１および直列ブロックＢ２からなるＮ段直列接続（図３ではＮ＝２）が設けられる。これらの直列ブロックＢ１，Ｂ２は、Ｎ個分の増圧コンデンサＣ１２，Ｃ２１と、Ｎ個分のダイオードＤ１１，Ｄ２１と、Ｎ個分のダイオードＤ１２，Ｄ２２と、Ｎ個分のトランジスタＱ１１，Ｑ２１と、ベース抵抗から構成される。
その他、電子閃光装置６１は、トリガコンデンサＣ１０、およびトリガトランスＴ１０を備える。
【０００６】
（従来の動作）
増圧コンデンサＣ１２は、スイッチング素子６５の遮断直後、低インピーダンス状態の閃光管Ｘｅ、ダイオードＤ１１、Ｄ１２の電流経路を介して、図３に示す極性の電圧Ｅに充電される（本明細書では、説明を簡明にするため、閃光管Ｘｅの電圧降下やダイオードの順方向電圧などを無視する）。
一方、増圧コンデンサＣ２２は、スイッチング素子６５の遮断直後、低インピーダンス状態の閃光管Ｘｅ、ダイオードＤ１１、Ｄ２１、Ｄ２２の電流経路を介して、図１に示す極性の電圧Ｅに充電される。
さらに、トリガコンデンサＣ１０は、スイッチング素子６５の遮断直後、低インピーダンス状態の閃光管Ｘｅ、主ダイオードＤＭ、トリガトランスＴ１０の１次側コイルの電流経路を介して充電される。
【０００７】
この状態でスイッチング素子６５が導通すると、トリガコンデンサＣ１０の蓄積電荷が、トリガトランスＴ１０およびスイッチング素子６５を介して瞬間的に流れる。その結果、トリガトランスＴ１０の２次側コイルに高圧のトリガ電圧が発生する。このトリガ電圧は、閃光管Ｘｅのトリガ端子に印加され、閃光管Ｘｅ内のガスを励起して発光動作を誘発する。
【０００８】
一方、このスイッチング素子６５の導通により、増圧コンデンサＣ２２の正側端子は接地電位まで電圧が引き下げられる。すると、増圧コンデンサＣ２２の負側端子には、負電圧（−Ｅ）が発生する。この負電圧（−Ｅ）により、ダイオードＤ２２は逆バイアス状態になって遮断される。一方、この負電圧（−Ｅ）がエミッタに印加されることでトランジスタＱ２１は導通する。その結果、トランジスタＱ２１のコレクタには負電圧（−Ｅ）が発生し、ダイオードＤ２１が逆バイアス状態になって遮断される。
【０００９】
トランジスタＱ２１のコレクタに生じた負電圧（−Ｅ）は、増圧コンデンサＣ１２の正側端子に印加される。その結果、増圧コンデンサＣ１２の負側端子には、２倍の負電圧（−２Ｅ）が発生する。この２倍の負電圧（−２Ｅ）によって、ダイオードＤ１２が遮断され、トランジスタＱ１１が導通する。その結果、トランジスタＱ１１のコレクタには、２倍の負電圧（−２Ｅ）が発生する。
【００１０】
この２倍の負電圧により、主ダイオードＤＭは逆バイアス状態になって遮断される。その結果、閃光管Ｘｅの陰極には、２倍の負電圧（−２Ｅ）が印加される。一方、閃光管Ｘｅの陽極側には、主コンデンサＣＭによって電圧Ｅが印加される。その結果、閃光管の両端電圧は、過渡的に３倍電圧（３Ｅ）に増圧される。
ちなみに、直列ブロックＢ１，Ｂ２をＮ段直列にした場合、閃光管の両端電圧を（Ｎ＋１）倍に増圧することができる。
このような増圧作用によって、閃光管Ｘｅの発光動作が誘発される。
【特許文献１】特開平５−１０１８９６号公報（図１）
【発明の開示】
【発明が解決しようとする課題】
【００１１】
ところで、上述した電子閃光装置６１では、スイッチング素子６５の遮断直後、次回の増圧動作に備えて、２個の増圧コンデンサＣ１２，Ｃ２２を高速に再充電しなければならない。この場合、最上段のダイオードＤ１１には、増圧コンデンサ２個分の充電電流が通過する。
【００１２】
ちなみに、直列ブロックをＮ段直列にした場合、増圧コンデンサＮ個分の充電電流が、最上段のダイオードＤ１１に集中する。このように上段に近いほど、充電電流が集中するという回路上の制約から、増圧回路には電流定格の高い大電流用のダイオードが必要になる。
【００１３】
さらに、下段に近い増圧コンデンサほど、多数のダイオードを経由して充電電流が供給されるため、発熱や順方向電圧分の電圧降下など再充電時のエネルギー損失が大きくなる。そのため、主コンデンサＣＭの充電電荷の利用効率が低下するなどの問題を生じる。
【００１４】
さらに、複数の直列ブロックを介して、上段から下段へ充電電流を段階的に流すため、複数の増圧コンデンサにおいて充電終了のタイミングが揃わず、増圧コンデンサの充電終了までに時間がかかるという問題も生じる。この場合、高速繰り返し発光において再充電が間に合わなくなるため、繰り返し発光の中断や中抜けなどの不具合を生じやすい。
【００１５】
さらに、上述した電子閃光装置６１では、（Ｎ＋１）倍の増圧作用を得るために、１個の主ダイオードＤＭおよびＮ個分のダイオードＤ１１，Ｄ２１が必要となる。
【００１６】
そこで、本発明は、閃光管の高速繰り返し発光にも対応可能な増圧回路技術を提供することを目的とする。
また、本発明は、増圧回路のダイオードの電流定格を下げることが可能な増圧回路技術を提供することを目的とする。
【課題を解決するための手段】
【００１７】
《請求項１》
請求項１の電子閃光装置は、閃光管と、閃光管に閃光発光用の電力を供給する電源部と、発光／消灯の制御信号に応じて電源部および閃光管の間を電気的に導通／遮断するスイッチング素子と、スイッチング素子の導通に伴って閃光管の両端電圧を過渡的に略３倍に増圧する増圧回路とを備える。
上記の増圧回路は、主ダイオードＤＭ、増圧ブロックＵ１、および増圧ブロックＵ２を有する。
この主ダイオードＤＭは、閃光管およびスイッチング素子の間に接続される。
増圧ブロックＵ１は、電流分配用ダイオードＤＳ１、極性変換回路Ｐ１、および増圧コンデンサＣ１の直列接続体を、主ダイオードＤＭに並列接続して構成される。
増圧ブロックＵ２は、極性変換回路Ｐ２および増圧コンデンサＣ２の直列接続体を、電流分配用ダイオードＤＳ１に並列接続して構成される。
なお、上記の極性変換回路Ｐ１は、充電用ダイオードＤＺ１および第１反転接続回路を有する。この充電用ダイオードＤＺ１は、スイッチング素子が遮断すると、主ダイオードＤＭおよび増圧コンデンサＣ１を経由して電流路を形成して増圧コンデンサＣ１に電圧を充電する。また、この充電用ダイオードＤＺ１は、スイッチング素子が導通すると、増圧コンデンサＣ１の他側に生じる反転電圧によって逆バイアスされる。一方、第１反転接続回路は、スイッチング素子が導通すると、増圧コンデンサＣ１の反転電圧によって導通して、反転電圧を増圧コンデンサＣ２の一端に印加する。
また、上記の極性変換回路Ｐ２は、充電用ダイオードＤＺ２および第２反転接続回路を有する。この充電用ダイオードＤＺ２は、第１反転接続回路が遮断すると、電流分配用ダイオードＤＳ１および増圧コンデンサＣ２を経由して電流路を形成して、増圧コンデンサＣ２に電圧を充電する。また、この充電用ダイオードＤＺ２は、第１反転接続回路が導通すると、増圧コンデンサＣ２の他側に生じる２倍反転電圧によって逆バイアスされる。一方、第２反転接続回路は、第１反転接続回路が導通すると、増圧コンデンサＣ２の２倍反転電圧によって導通して、２倍反転電圧を『閃光管と主ダイオードＤＭの接続点』に印加する。
【００１８】
《請求項２》
請求項２の電子閃光装置は、閃光管と、閃光管に閃光発光用の電力を供給する電源部と、発光／消灯の制御信号に応じて、電源部および閃光管の間を電気的に導通／遮断するスイッチング素子と、スイッチング素子の導通に伴って、閃光管の両端電圧を過渡的に略（Ｎ＋１）倍に増圧する増圧回路とを備える（ただしＮ≧３）。
上記の増圧回路は、主ダイオードＤＭ、およびＮ個の増圧ブロックＵ１〜ＵＮを備える。
この主ダイオードＤＭは、閃光管およびスイッチング素子の間に接続される。
初段の増圧ブロックＵ１は、電流分配用ダイオードＤＳ１、極性変換回路Ｐ１、および増圧コンデンサＣ１の直列接続体を、主ダイオードＤＭに並列接続して構成される。
途中段の増圧ブロックＵｎ（ｎはＮ−１未満２以上の自然数）は、電流分配用ダイオードＤＳｎ、極性変換回路Ｐｎ、および増圧コンデンサＣｎの直列接続体を、電流分配用ダイオードＤＳ（ｎ−１）に並列接続して構成される。
最終段の増圧ブロックＵＮは、極性変換回路ＰＮおよび増圧コンデンサＣＮの直列接続体を、電流分配用ダイオードＤＳ（Ｎ−１）に並列接続して構成される。
なお、初段の極性変換回路Ｐ１は、充電用ダイオードＤＺ１および第１反転接続回路を有する。この充電用ダイオードＤＺ１は、スイッチング素子が遮断すると、主ダイオードＤＭおよび増圧コンデンサＣ１を経由して電流路を形成して増圧コンデンサＣ１に電圧を充電する。また、この充電用ダイオードＤＺ１は、スイッチング素子が導通すると、増圧コンデンサＣ１の他側に生じる反転電圧によって逆バイアスされる。一方、第１反転接続回路は、スイッチング素子が導通すると、増圧コンデンサＣ１の反転電圧によって導通して、反転電圧を増圧コンデンサＣ２の一端に印加する。
一方、途中段の極性変換回路Ｐｎは、充電用ダイオードＤＺｎおよび第ｎ反転接続回路を有する。この充電用ダイオードＤＺｎは、第（ｎ−１）反転接続回路が遮断すると、電流分配用ダイオードＤＳ（ｎ−１）および増圧コンデンサＣｎを経由して電流路を形成して増圧コンデンサＣｎに電圧を充電する。また、この充電用ダイオードＤＺｎは、第（ｎ−１）反転接続回路が導通すると、増圧コンデンサＣｎの他側に生じるｎ倍反転電圧によって逆バイアスされる。一方、第ｎ反転接続回路は、第（ｎ−１）反転接続回路が導通すると、増圧コンデンサＣｎのｎ倍反転電圧によって導通して、ｎ倍反転電圧を増圧コンデンサＣ（ｎ＋１）に印加する。
また、最終段の極性変換回路ＰＮは、充電用ダイオードＤＺＮおよび第Ｎ反転接続回路を有する。この充電用ダイオードＤＺＮは、第（Ｎ−１）反転接続回路が遮断すると、電流分配用ダイオードＤＳ（Ｎ−１）および増圧コンデンサＣＮを経由して電流路を形成して増圧コンデンサＣＮに電圧を充電する。また、この充電用ダイオードＤＺＮは、第（Ｎ−１）反転接続回路が導通すると、増圧コンデンサＣＮの他側に生じるＮ倍反転電圧によって逆バイアスされる。一方、第Ｎ反転接続回路は、第（Ｎ−１）反転接続回路が導通すると、増圧コンデンサＣＮのＮ倍反転電圧によって導通して、Ｎ倍反転電圧を『閃光管と主ダイオードＤＭの接続点』に印加する。
【発明の効果】
【００１９】
本発明の特徴である増圧回路では、閃光管の両端電圧をおおよそ３〜（Ｎ＋１）倍に増圧することができる。したがって、閃光管の発光を一段と確実に誘発することが可能になる。
【００２０】
特に、請求項２の増圧回路では、増圧ブロックを増設することで、増圧電圧を柔軟に設計することが可能である。
【００２１】
また、本発明の増圧回路では、発光停止制御（つまりスイッチング素子の遮断）の直後、個々の増圧コンデンサの再充電が、独立した経路を介して個別に実施される。
すなわち、増圧コンデンサＣ１には、主ダイオードＤＭを介して充電電流が供給される。増圧コンデンサＣ２には、電流分配用ダイオードＤＳ１を介して充電電流が供給される。一般的に、増圧コンデンサＣｎには、前段の電流分配用ダイオードＤＳ（ｎ−１）を介して充電電流が供給される。
【００２２】
したがって、個々の電流分配用ダイオードには、増圧コンデンサ１個分の充電電流が流れる。そのため、従来技術と異なり、上段に近づくほど充電電流が集中するといった問題は生じない。したがって、本発明の増圧回路では、電流定格の低いダイオードを使用することができる。
【００２３】
さらに、本発明の増圧回路は、従来技術とは異なり、充電電流が多数のダイオードを直列に流れない。そのため、再充電時のエネルギー損失は少なく、電源部の電力消耗を抑えることができる。したがって、パルス発光可能な期間を延長したり、本発光時のガイドナンバを稼ぐことが可能になる。
【００２４】
また、本発明の増圧回路は、増圧コンデンサ一つ一つに対して独立した経路で一斉に充電電流を供給する。そのため、直列に増設する方式の従来技術とは異なり、充電終了までの時間を短縮できる。その結果、一段と高速な繰り返し発光にも再充電が間に合うようになり、繰り返し発光の中断や中抜けを低減できる。
【００２５】
さらに、本発明の増圧回路では、略（Ｎ＋１）倍の増圧作用を得るために、１個の主ダイオードＤＭと、（Ｎ−１）個分の電流分配用ダイオードとを必要とする。したがって、従来技術に比べてダイオードの部品点数を少なくとも１個分削減することができる。
【発明を実施するための最良の形態】
【００２６】
《第１の実施形態》
（構成説明）
図１は、請求項１に対応した電子閃光装置１１を示す図である。
図１において、直流高圧電源１２は、主コンデンサＣＭに発光用の高圧電圧Ｅ（例えば３３０Ｖ）を蓄積する。この主コンデンサＣＭの両端に対して、閃光管Ｘｅ、主ダイオードＤＭ、およびスイッチング素子１５が直列に接続される。また、閃光管Ｘｅには、回路初期化に必要な電流を流すための抵抗ＲＺが並列接続される。一方、スイッチング素子１５のゲート端子は、発光制御回路１３に接続される。
【００２７】
さらに、主ダイオードＤＭと並列に、増圧ブロックＵ１が接続される。この増圧ブロックＵ１は、順方向接続の電流分配用ダイオードＤＳ１、極性変換回路Ｐ１、および増圧コンデンサＣ１を直列接続して構成される。
さらに、この極性変換回路Ｐ１は、充電用ダイオードＤＺ１、第１反転接続回路（トランジスタＱ１およびベース抵抗Ｒ１０，Ｒ１１）から構成される。
【００２８】
このトランジスタＱ１は、コレクタが電流分配用ダイオードＤＳ１のカソードに接続され、エミッタが増圧コンデンサＣ１の負側端子に接続される。この負側端子の電圧は、ベース抵抗Ｒ１０，Ｒ１１によって分圧された後、トランジスタＱ１のベースに印加される。
一方、充電用ダイオードＤＺ１は、アノードが増圧コンデンサＣ１の負側端子に接続され、カソードが接地ラインに接続される。
【００２９】
さらに、電流分配用ダイオードＤＳ１と並列に、増圧ブロックＵ２が接続される。この増圧ブロックＵ２は、極性変換回路Ｐ２、および増圧コンデンサＣ２を直列接続して構成される。
さらに、この極性変換回路Ｐ２は、充電用ダイオードＤＺ２、第２反転接続回路（トランジスタＱ２およびベース抵抗Ｒ２０，Ｒ２１）から構成される。
【００３０】
このトランジスタＱ２は、コレクタが閃光管Ｘｅの陰極に接続され、エミッタが増圧コンデンサＣ２の負側端子に接続される。この負側端子の電圧は、ベース抵抗Ｒ２０，Ｒ２１によって分圧された後、トランジスタＱ２のベースに印加される。
一方、充電用ダイオードＤＺ２は、アノードが増圧コンデンサＣ２の負側端子に接続され、カソードが接地ラインに接続される。
その他、電子閃光装置１１は、トリガコンデンサＣＴ、およびトリガトランスＴＴを備える。
次に、本回路の動作について順番に説明する。
【００３１】
（回路の初期動作）
まず、直流高圧電源１２は、バッテリー電圧を昇圧して発光用の高圧電圧Ｅを生成して、主コンデンサＣＭに蓄積する。
この状態において、抵抗ＲＺ、主ダイオードＤＭ、トリガコンデンサＣＴ、およびトリガトランスＴＴの１次側コイルの経路を通って充電電流が流れ、トリガコンデンサＣＴが充電される。
また、抵抗ＲＺ、主ダイオードＤＭ、増圧コンデンサＣ１、および充電用ダイオードＤＺ１の経路で充電電流が流れ、増圧コンデンサＣ１が図１に示す極性の電圧Ｅに充電される。
さらに、抵抗ＲＺ、電流分配用ダイオードＤＳ１、増圧コンデンサＣ２、および充電用ダイオードＤＺ２の経路で充電電流が流れ、増圧コンデンサＣ２が図１に示す極性の電圧Ｅに充電される。
【００３２】
（スイッチング素子１５の導通直後の動作）
発光制御回路１３は、外部からの発光制御信号ＧＶに応じて、スイッチング素子１５を導通させる。
このとき、トリガコンデンサＣＴ、スイッチング素子１５、およびトリガトランスＴＴの１次側コイルの経路を通って、トリガコンデンサＣＴの放電電流が流れる。この放電電流によって、トリガトランスＴＴの２次側コイルには、高圧のトリガ電圧が発生する。このトリガ電圧は、閃光管Ｘｅのトリガ端子に印加され、閃光管Ｘｅ内のガスを励起する。
一方、スイッチング素子１５の導通により、増圧コンデンサＣ１の正側端子は、接地電位まで電圧が引き下げられる。その結果、増圧コンデンサＣ１の負側端子には、負電圧（−Ｅ）が発生する。
この負側端子の負電圧（−Ｅ）により、充電用ダイオードＤＺ１は逆バイアス状態になって遮断される。さらに、この負電圧（−Ｅ）により、トランジスタＱ１のエミッタ電位はベース電位よりも下がって、トランジスタＱ１が導通状態となる。その結果、トランジスタＱ１のコレクタには、負電圧（−Ｅ）が発生する。
このトランジスタＱ１の導通により、増圧コンデンサＣ２の正側端子は、負電圧（−Ｅ）まで電圧が引き下げられる。その結果、増圧コンデンサＣ２の負側端子には、２倍の負電圧（−２Ｅ）が発生する。
この負側端子の負電圧（−２Ｅ）により、充電用ダイオードＤＺ２は逆バイアス状態になって遮断される。さらに、この負電圧（−２Ｅ）により、トランジスタＱ２のエミッタ電位はベース電位よりも下がって、トランジスタＱ２が導通状態となる。その結果、トランジスタＱ２のコレクタには、負電圧（−２Ｅ）が発生する。
この負電圧（−２Ｅ）により、電流分配用ダイオードＤＳ１および主ダイオードＤＭは逆バイアス状態になって遮断される。
その結果、負電圧（−２Ｅ）は、閃光管Ｘｅの陰極に印加される。一方、閃光管Ｘｅの陽極には、主コンデンサＣＭにより電圧Ｅが印加される。したがって、閃光管Ｘｅの両端は、３倍電圧（３Ｅ）に増圧される。
以上のような増圧作用に誘発されて、閃光管Ｘｅは放電を開始する。
【００３３】
（閃光管Ｘｅの放電開始直後の動作）
閃光管Ｘｅの放電開始直後、閃光管Ｘｅの通過電流は、増圧コンデンサＣ２、Ｃ１を瞬間的に流れ、増圧コンデンサＣ２，Ｃ１の充電電圧をリセットする。その結果、主ダイオードＤＭは、逆バイアスから順バイアスに変化する。この動作に伴って増圧電圧は消滅し、閃光管Ｘｅの通過電流は、主ダイオードＤＭおよびスイッチング素子１５の主経路へ流れを変える。
【００３４】
（スイッチング素子１５の遮断直後の動作）
発光制御回路１３は、外部からの発光制御信号ＧＶに応じて、スイッチング素子１５を遮断させる。
この遮断直後、閃光管Ｘｅは低インピーダンス状態をしばらく維持する。そのため、閃光管Ｘｅ、主ダイオードＤＭ、増圧コンデンサＣ１、および充電用ダイオードＤＺ１の経路で充電電流が流れ、増圧コンデンサＣ１が図１に示す極性の電圧Ｅに再び充電される。
さらに、閃光管Ｘｅ、電流分配用ダイオードＤＳ１、増圧コンデンサＣ２、および充電用ダイオードＤＺ２の経路で充電電流が流れ、増圧コンデンサＣ２が図１に示す極性の電圧Ｅに再び充電される。
【００３５】
（第１の実施形態の効果など）
このようにして、増圧コンデンサＣ１，Ｃ２はそれぞれ独立の経路を経て、高速に充電される。この高速充電作用により、増圧ブロックＵ１，Ｕ２は、次回の増圧動作が可能状態へ一瞬にして戻る。
【００３６】
このように高速充電作用が一瞬で完了することで、閃光管Ｘｅの発光オーバーランは無視できる程度に短くなる。
【００３７】
また、この高速充電作用により、増圧ブロックＵ１，Ｕ２の増圧準備は一瞬で完了する。そのため、パルス発光の時間間隔を短縮しても、増圧準備を確実に間に合わせることが可能になる。したがって、短時間の発光繰り返しであっても、閃光管Ｘｅを毎回安定に増圧できるようになり、繰り返し発光の中断や中抜けを有効に防止できる。
【００３８】
その上、電流分配用ダイオードＤＳ１には、増圧コンデンサＣ２の充電電流のみ流れる。そのため、従来技術とは異なり、複数の増圧コンデンサの充電電流が一経路に集中することがない。その結果、電流定格の高い特殊な電流分配用ダイオードが不要となる。また、熱や電圧降下によるエネルギー損失が少なくなり、再充電時に必要な電力量を抑えることができる。したがって、パルス発光可能な期間を延長したり、本発光時のガイドナンバを稼ぐことが可能になる。
【００３９】
さらに、本実施形態では、従来回路（図３）と比較して、少なくともダイオード１個分の部品削減が可能となる。
次に、別の実施形態について説明する。
【００４０】
《第２の実施形態》
（構成説明）
図２は、請求項２に対応した電子閃光装置２１を示す図である。
第２の実施形態の特徴は、３段以上の増圧ブロックＵ１〜ＵＮを増設する点である。
なお、増圧ブロックＵ１〜ＵＮの内部構成など、第１の実施形態（図１）と共通する構成については、ここでの説明を省略する。
ここでは、増圧ブロックＵ１〜ＵＮの増設の法則について説明する。
まず、初段の増圧ブロックＵ１は、主ダイオードＤＭに対して並列に接続される。２段目の増圧ブロックＵ２は、前段の増圧ブロックＵ１内の電流分配用ダイオードＤＳ１に対して並列に接続される。
【００４１】
以下同様にして、前段の増圧ブロックＵ（ｎ−１）内の電流分配用ダイオードＤＳ（ｎ−１）に対して、次段の増圧ブロックＵｎを並列に接続する。
このような再帰的な回路接続を繰り返すことにより、所望段数まで増圧ブロックを増設できる。
【００４２】
なお、最終段の増圧ブロックＵＮについては電流分配用ダイオードが不要となる。そのため、最終段の増圧ブロックＵＮでは、図２に示すように、電流分配用ダイオードを省略することが好ましい。
【００４３】
（回路動作の説明）
発光制御回路１３は、外部からの発光制御信号ＧＶに応じて、スイッチング素子１５を導通させる。
【００４４】
このスイッチング素子１５の導通により、増圧コンデンサＣ１の正側端子は、接地電位まで電圧が引き下げられる。その結果、増圧コンデンサＣ１の負側端子には、負電圧（−Ｅ）が発生する。
【００４５】
この負側端子の負電圧（−Ｅ）により、充電用ダイオードＤＺ１は遮断し、トランジスタＱ１は導通状態となる。その結果、トランジスタＱ１のコレクタには、負電圧（−Ｅ）が発生する。
このトランジスタＱ１の導通により、増圧コンデンサＣ２の正側端子は、負電圧（−Ｅ）まで電圧が引き下げられる。その結果、増圧コンデンサＣ２の負側端子には、２倍の負電圧（−２Ｅ）が発生する。
【００４６】
この回路動作が同様に繰り返されることにより、増圧コンデンサＣ１〜ＣＮの負電圧は順次加算される。その結果、最終段の増圧ブロックＵＮには、Ｎ倍の負電圧（−Ｎ・Ｅ）が発生する。
この負電圧（−Ｎ・Ｅ）により、電流分配用ダイオードＤＳ１，ＤＳ２・・ＤＳ（Ｎ−１）および主ダイオードＤＭは逆バイアス状態になって遮断される。
【００４７】
その結果、負電圧（−Ｎ・Ｅ）は、閃光管Ｘｅの陰極に印加される。一方、閃光管Ｘｅの陽極には、主コンデンサＣＭにより電圧Ｅが印加される。したがって、閃光管Ｘｅの両端電圧は、略（Ｎ＋１）倍に増圧される。
以上のような増圧作用に誘発されて、閃光管Ｘｅは放電を開始する。
【００４８】
（スイッチング素子１５の遮断直後の動作）
発光制御回路１３は、外部からの発光制御信号ＧＶに応じて、スイッチング素子１５を遮断させる。
この遮断直後、閃光管Ｘｅは低インピーダンス状態をしばらく維持する。そのため、閃光管Ｘｅ、主ダイオードＤＭ、増圧コンデンサＣ１、および充電用ダイオードＤＺ１の経路を通って充電電流が流れ、増圧コンデンサＣ１が図２に示す極性の電圧Ｅに再び充電される。
【００４９】
さらに、閃光管Ｘｅ、電流分配用ダイオードＤＳ１、増圧コンデンサＣ２、および充電用ダイオードＤＺ２の経路で充電電流が流れ、増圧コンデンサＣ２が図２に示す極性の電圧Ｅに再び充電される。
以下同様にして、増圧コンデンサＣ１〜ＣＮは、独立の経路を通って一斉に充電される。
【００５０】
（第２の実施形態の効果など）
上述したように、第２の実施形態においても、第１の実施形態と同様の効果を得ることができる。
【００５１】
特に、増圧ブロックＵ１〜ＵＮの段数Ｎが増えても、個々の電流分配用ダイオードには、それぞれ増圧コンデンサ１個分の充電電流しか流れない。したがって、電流定格の低い電流分配用ダイオードが使用可能となる。
【００５２】
また、段数Ｎが増えても、Ｎ個の増圧コンデンサをそれぞれ独立した経路で一斉に再充電する。したがって、本実施形態は、従来回路（図３）に比べて再充電時間が短縮され、より高速な繰り返し発光を実現できるようになる。
【００５３】
さらに、従来回路（図３）に比べて再充電の経路が重複しないため、『再充電時の発熱低下』や『再充電時のエネルギー効率アップ』などの優れた長所を有する。
【００５４】
また、第２の実施形態では、上述した増設の法則に従って、増圧ブロックＵ１〜ＵＮを必要な数だけ増設することができる。その結果、閃光管Ｘｅの特性により適した増圧電圧を与えることが可能になり、繰り返し発光の安定した電子閃光装置が実現できる。
【００５５】
《実施形態の補足事項》
なお、上述した実施形態では、ダイオード、コンデンサ、トランジスタなど具体的な回路素子を用いて説明した。しかしながら、本発明はこれに限定されるものではない。一般的には、これらと同等の機能を有する等価回路や素子を使用してもよい。また、回路上において、電源の極性を変更したり、電流方向を変更したり、電圧の向きを変更したり、双対回路に置き換えるなどの変更も当然可能である。
【産業上の利用可能性】
【００５６】
以上説明したように、本発明は、電子閃光装置などに利用可能な技術である。
【図面の簡単な説明】
【００５７】
【図１】請求項１に対応した電子閃光装置１１を示す図である。
【図２】請求項２に対応した電子閃光装置２１を示す図である。
【図３】従来の電子閃光装置６１を示す図である。
【符号の説明】
【００５８】
Ｘｅ  閃光管
ＲＺ  抵抗
ＣＭ  主コンデンサ
ＤＭ  主ダイオード
Ｃ１〜ＣＮ  増圧コンデンサ
ＤＺ１〜ＤＺＮ  充電用ダイオード
Ｑ１〜ＱＮ  トランジスタ
Ｕ１〜ＵＮ  増圧ブロック
Ｐ１〜ＰＮ  極性変換回路
ＤＳ１〜ＤＳ（Ｎ−１）  電流分配用ダイオード
１２  直流高圧電源
１３  発光制御回路
１５  スイッチング素子
【図１】
2005310674.tif 000003
【図２】
2005310674.tif 000004
【図３】
2005310674.tif 000005